(57)【要約】  ソースドライバ（２０）は、同相／逆相の入力信号を増幅する第１及び第２増幅回路と、入力信号を切り替えるためのオフセット切替信号（４）を出力する切替制御回路（２９）とを備え、切替制御回路（２９）は、水平同期信号よりも高周波数のオフセット切替信号（４）を出力する。これにより、表示画面全体におけるフリッカの発生を抑え、表示品位を高めることができる表示駆動回路を提供する。
2013021873.tif 000002
【特許請求の範囲】
【請求項１】
同相または逆相の入力信号を増幅する第１及び第２増幅回路と、
切替信号に基づいて、上記２つの入力信号を選択的に切り替えて上記第１及び第２増幅回路へ入力する切替回路と、
上記切替信号を上記切替回路に出力することにより、上記切替回路の切り替えを制御する切替制御回路とを備えており、
上記切替制御回路は、水平同期信号よりも高周波数の上記切替信号を、上記切替回路に出力することを特徴とする表示駆動回路。
【請求項２】
上記切替制御回路は、データクロックと同一周波数の上記切替信号、または、水平同期信号よりも高周波数となるようにデータクロックを分周した上記切替信号を、上記切替回路に出力することを特徴とする請求項１に記載の表示駆動回路。
【請求項３】
上記切替制御回路は、水平同期信号に基づき上記切替信号を生成することを特徴とする請求項１または２に記載の表示駆動回路。
【請求項４】
上記切替信号が第１電位のときに、上記第１増幅回路がその特性上有する第１固有オフセット電圧が選択され、
上記切替信号が第２電位のときに、上記第２増幅回路がその特性上有する第２固有オフセット電圧が選択されることを特徴とする請求項１〜３の何れか１項に記載の表示駆動回路。
【請求項５】
上記切替信号は、上記第１電位が選択されてから、上記第１増幅回路におけるオフセット電圧が上記第１固有オフセット電圧に到達するまでの間に、上記第２電位に切り替わり、上記第２電位が選択されてから、上記第２増幅回路におけるオフセット電圧が上記第２固有オフセット電圧に到達するまでの間に、上記第１電位に切り替わることを特徴とする請求項４に記載の表示駆動回路。
【請求項６】
上記切替信号が上記第１電位のときに上記第１増幅回路で生じる第１オフセット電圧と、上記切替信号が上記第２電位のときに上記第２増幅回路で生じる第２オフセット電圧とは、互いに極性が異なることを特徴とする請求項５に記載の表示駆動回路。
【請求項７】
上記切替信号が上記第１電位のときに上記第１増幅回路で生じる第１オフセット電圧は、上記第１固有オフセット電圧よりも小さく、
上記切替信号が上記第２電位のときに上記第２増幅回路で生じる第２オフセット電圧は、上記第２固有オフセット電圧よりも小さいことを特徴とする請求項５または６に記載の表示駆動回路。
【請求項８】
全ての水平走査期間において、上記切替信号のシーケンスが同一であることを特徴とする請求項４〜７の何れか１項に記載の表示駆動回路。
【請求項９】
各行において、上記切替信号のシーケンスが、全てのフレームで同一であるとともに、ｎ行（ｎは１以上の整数）毎に、上記切替信号のシーケンスが異なることを特徴とする請求項４〜７の何れか１項に記載の表示駆動回路。
【請求項１０】
上記切替信号は、データクロックの周波数の１／２または１／４の周波数であることを特徴とする請求項１〜９の何れか１項に記載の表示駆動回路。
【請求項１１】
請求項１〜１０の何れか１項に記載の表示駆動回路と、表示パネルとを備えることを特徴とする表示装置。
【請求項１２】
上記表示パネルは、ｎライン反転駆動（ｎは１以上の整数）を行うことを特徴とする請求項１１に記載の表示装置。
【請求項１３】
同相または逆相の入力信号を増幅する第１及び第２増幅回路と、
切替信号に基づいて上記２つの入力信号を選択的に切り替えて上記第１及び第２増幅回路へ入力する切替回路と、
上記切替信号を上記切替回路に出力することにより、上記切替回路の切り替えを制御する切替制御回路とを備える表示駆動回路の駆動方法であって、
上記切替制御回路は、水平同期信号よりも高周波数の上記切替信号を、上記切替回路に出力することを特徴とする表示駆動回路の駆動方法。
【発明の詳細な説明】
【技術分野】
【０００１】
本発明は、オフセット電圧を持つ差動増幅回路を備えた表示駆動回路、これを備えた表示装置及び該表示駆動回路の駆動方法に関する。
【背景技術】
【０００２】
従来の液晶表示装置において、表示駆動回路（図１８のソースドライバ３８０２）の出力回路部（図１８の出力回路４４０８）を構成する差動増幅器の製造上のバラツキ等により偶発的に発生するオフセット電圧が、液晶表示素子への理想の駆動電圧からの誤差を生み、これにより表示画像が適切に表示されず、いわゆる表示ムラが発生し、表示品位を低下させる要因となっていることが知られている。【０００３】
このオフセット電圧に起因する表示ムラを解消するための技術が、例えば特許文献１に記載されている。特許文献１に記載されている第１〜第３従来技術について、以下に説明する。【０００４】
図１９の（ａ）及び（ｂ）に、第１従来技術に係るソースドライバＩＣの出力回路のブロック構成図とその動作の一例とを示す。図１９の（ａ）及び（ｂ）には、図１８の内、４４０５、４４０７、４４０８で示される各ブロックのみを、２出力端子分の回路として示している。【０００５】
図１９の（ａ）及び（ｂ）において、４５０１は奇数番目の出力端子を駆動する出力回路でオペアンプを使用したボルテージフォロワを示し、４５０２は偶数番目の出力端子を駆動する出力回路で４５０１と同じオペアンプを使用したボルテージフォロワを示し、４５０３、４５０４、４５０５、及び４５０６は液晶駆動出力の出力電圧極性を切り替える出力交流化スイッチをそれぞれ示し、４５０７は正極性電圧のデジタル／アナログ変換を行うＤ／Ａ変換回路を示し、４５０８は負極性電圧のデジタル／アナログ変換を行うＤ／Ａ変換回路を示し、４５０９及び４５１０は表示データを保持するホールドメモリをそれぞれ示し、４５１１は奇数番目の出力端子を示し、４５１２は偶数番目の出力端子を示す。また、オペアンプ４５０１の内部の４５１３及び４５０２内部の４５１４はＮチャンネルＭＯＳ入力のオペアンプを示し、オペアンプ４５０１の内部の４５１５及び４５０２内部の４５１６はＰチャンネルＭＯＳ入力のオペアンプを示す。【０００６】
上記の構成では、１つの出力端子に正極性電圧および負極性電圧の双方を出力（フルレンジ）できるようにＮチャンネルＭＯＳトランジスタを入力段にもつオペアンプとＰチャンネルＭＯＳトランジスタを入力段にもつオペアンプとの２個を有している。これにより、図２０に示すように、オフセット電圧に起因する偏差Ａ、−Ａを２フレームで打ち消すことができる。【０００７】
ただし、上記第１従来技術の構成は、１出力端子毎にオペアンプを２個有するので、回路規模および消費電力の増大を招来するという問題がある。【０００８】
そこで、第２従来技術として、オペアンプの数を半減させて、回路規模の縮小化および低消費電力化を実現できる構成（図２１の（ａ）及び（ｂ））が挙げられている。しかし、この構成では、１つの出力を駆動するオペアンプが正極性の場合と負極性の場合とで異なっている（オペアンプ４６０１、４６０２）ため、第１従来技術のように、製造上のバラツキなどによるオフセット電圧を打ち消すことができない。以下、図２２を用いて具体的に説明する。【０００９】
図２２には、オペアンプ４６０１がオフセット電圧Ａを持ち、オペアンプ４６０２がオフセット電圧Ｂを持つ場合の液晶駆動電圧波形を示している。同図において、正極性電圧を出力する場合と負極性電圧を出力する場合とでは、期待値電圧からの偏差がそれぞれ異なる。したがって、液晶表示画素に印加される駆動電圧の平均電圧には、２つの偏差の差の成分（＝（Ａ−Ｂ）／２）が、誤差電圧として残留する。この誤差電圧は、駆動出力端子毎に偶発的に発生するものであるため、液晶表示装置の画素間での印加電圧の差となり、結果として表示ムラが発生することになる。【００１０】
上記第１及び第２従来技術の問題を解消する技術として、第３従来技術（例えば特許文献１及び２）が挙げられている。【００１１】
図２３に、第３従来技術に係る差動増幅回路の構成例を示す。なお、図２３は、ＮチャンネルＭＯＳトランジスタを入力トランジスタとして使用した場合を示すものである。【００１２】
図２３において、１０１及び１０２はＮチャンネルＭＯＳによる入力トランジスタをそれぞれ示し、１０３は上記差動増幅回路に動作電流を与える定電流源を示し、１０４は入力トランジスタ１０１の負荷抵抗（抵抗素子）を示し、１０５は入力トランジスタ１０２の負荷抵抗（抵抗素子）を示し、１０６及び１０７は入力信号を切り替えるスイッチをそれぞれ示し、１０８及び１０９は出力信号を切り替えるスイッチをそれぞれ示し、１１０は同相入力端子を示し、１１１は逆相入力端子を示し、１１２は同相出力端子を示し、１１３は逆相出力端子を示し、１１４はスイッチ１０６から１０９を同時に切り替える切替信号を入力するための切替信号入力端子を示す。【００１３】
入力トランジスタ１０１及び負荷抵抗１０４と、入力トランジスタ１０２及び負荷抵抗１０５とは増幅回路を構成し、トランジスタ１０１と１０２は差動対を構成する。また、スイッチ１０６から１０９は、切替信号１１４により連動して制御される。なお、同相入力端子１１０は、図２１に示すオペアンプ４６０１の＋入力端子に相当し、逆相入力端子１１１は、図２１に示すオペアンプ４６０１の−入力端子に相当する。【００１４】
図２４は、図２３の差動増幅回路の１つの動作状態を示す。図２５は、図２３の差動増幅回路の他の動作状態を示す。以下に、図２４及び図２５を参照しながら、上記差動増幅回路の動作を説明する。【００１５】
図２４に示す状態では、同相入力端子１１０はスイッチ１０６を介して入力トランジスタ１０１のゲートに接続され、そのドレインに接続された負荷抵抗１０４の働きで、スイッチ１０９を介して逆相出力信号として逆相出力端子１１３から出力される。一方、逆相入力端子１１１はスイッチ１０７を介して入力トランジスタ１０２のゲートに接続され、そのドレインに接続された負荷抵抗１０５の働きで、スイッチ１０８を介して同相出力信号として同相出力端子１１２から出力される。つまり、同相入力信号は、入力トランジスタ１０１及び負荷抵抗１０４で増幅される一方、逆相入力信号は、入力トランジスタ１０２及び負荷抵抗１０５で増幅される。【００１６】
一方、図２５に示す状態では、同相入力端子１１０はスイッチ１０７を介して入力トランジスタ１０２のゲートに接続され、そのドレインに接続された負荷抵抗１０５の働きで、スイッチ１０９を介して逆相出力信号として逆相出力端子１１３より出力される。また、逆相入力端子１１１はスイッチ１０６を介して入力トランジスタ１０１のゲートに接続され、そのドレインに接続された負荷抵抗１０４の働きで、スイッチ１０８を介して同相出力信号として同相出力端子１１２より出力される。つまり、同相入力信号は、入力トランジスタ１０２及び負荷抵抗１０５で増幅される一方、逆相入力信号は、入力トランジスタ１０１及び負荷抵抗１０４で増幅される。【００１７】
以上のように、図２４に示す状態と図２５に示す状態とでは、同相入力信号の増幅回路と逆相入力信号の増幅回路とを、完全に入れ替えて使用している。【００１８】
ここで、上記差動増幅回路を構成する入力トランジスタ１０１と１０２の間において、及び／又は負荷抵抗１０４と１０５の間において、製造上のバラツキ等により偶発的に発生する特性の不一致が存在する場合について、図２６及び図２７を参照しながら、以下に説明する。【００１９】
本来同じ特性を持つべき差動増幅回路の２つの素子において差が生じた場合、出力電圧が理想的な状態からずれてしまい、オフセット電圧を持つ。このずれは、入力端子の一方に定電圧源を接続したものとしてモデル化できる。この様子を図２６及び図２７に示す。両図に示す１１５は、上記差動増幅回路のオフセット電圧を１つの定電圧源でモデル化したものである。なお、図２６に示すスイッチ素子は図２４に示す状態と同一であり、図２７に示すスイッチ素子は図２５に示す状態と同一である。【００２０】
図２６においては、定電圧源１１５は、スイッチ１０７を介して逆相入力端子１１１と接続されている。一方、図２７においては、定電圧源１１５は、スイッチ１０７を介して同相入力端子１１０と接続されている。このように、上記差動増幅回路は、スイッチ１０６から１０９を使用しているので、差動増幅回路の偶発的に発生するバラツキによるオフセット電圧を、逆相入力端子１１１側に入れた状態と、同相入力端子１１０側に入れた状態とで切り替えることができる。これら２つの状態では、同相出力端子１１０及び逆相出力端子１１１に現れるオフセット電圧は、符号が逆で絶対値が等しい状態となる。【００２１】
これにより、オペアンプが製造上のバラツキなどにより偶発的に発生するオフセット電圧を持っている場合でも、正極性のオフセット電圧を出力する場合と負極性のオフセット電圧を出力する場合とでは、期待値電圧からの偏差が等しくなるので、液晶表示画素に印加される駆動電圧の平均電圧には、２つの偏差の差の成分が誤差電圧として残留することがなくなる。したがって、上記オペアンプを液晶駆動回路に使用した場合、液晶表示装置の画素間での印加電圧に差となって生じず、表示ムラを回避できる。【００２２】
図２８は、差動増幅回路のＰチャンネルＭＯＳトランジスタを入力トランジスタに使用した場合を示すものである。【００２３】
図２８において、６０１及び６０２はＰチャンネルＭＯＳによる入力トランジスタをそれぞれ示し、６０３は上記差動増幅回路に動作電流を与える定電流源を示し、６０４は入力トランジスタ６０１の負荷抵抗（抵抗素子）を示し、６０５は入力トランジスタ６０２の負荷抵抗（抵抗素子）を示し、６０６及び６０７は入力信号を切り替えるスイッチをそれぞれ示し、６０８及び６０９は出力信号を切り替えるスイッチをそれぞれ示し、６１０は同相入力端子を示し、６１１は逆相入力端子を示し、６１２は同相出力端子を示し、６１３は逆相出力端子を示し、６１４はスイッチ６０６から６０９を同時に切り替える切替信号を入力するための切替信号入力端子を示す。【００２４】
入力トランジスタ６０１及び負荷抵抗６０４と、入力トランジスタ６０２及び負荷抵抗６０５とは増幅回路を構成し、トランジスタ６０１と６０２は差動対を構成する。また、スイッチ６０６から６０９は、切替信号６１４により連動して制御される。なお、同相入力端子６１０は、図２１に示すオペアンプ４６０２の＋入力端子に相当し、逆相入力端子６１１は、図２１に示すオペアンプ４６０２の−入力端子に相当する。【００２５】
図２９は、図２８の差動増幅回路の１つの動作状態を示す。図３０は、図２８の差動増幅回路の他の動作状態を示す。以下に、図２９及び図３０を参照しながら、上記差動増幅回路の動作を説明する。【００２６】
図２９に示す状態では、同相入力端子６１０はスイッチ６０６を介して入力トランジスタ６０１のゲートに接続され、そのドレインに接続された負荷抵抗６０４の働きで、スイッチ６０９を介して逆相出力信号として逆相出力端子６１３から出力される。一方、逆相入力端子６１１はスイッチ６０７を介して入力トランジスタ６０２のゲートに接続され、そのドレインに接続された負荷抵抗６０５の働きで、スイッチ６０８を介して同相出力信号として同相出力端子６１２から出力される。つまり、同相入力信号は、入力トランジスタ６０１及び負荷抵抗６０４で増幅される一方、逆相入力信号は、入力トランジスタ６０２及び負荷抵抗６０５で増幅される。【００２７】
一方、図３０に示す状態では、同相入力端子６１０はスイッチ６０７を介して入力トランジスタ６０２のゲートに接続され、そのドレインに接続された負荷抵抗６０５の働きで、スイッチ６０９を介して逆相出力信号として逆相出力端子６１３より出力される。また、逆相入力端子６１１はスイッチ６０６を介して入力トランジスタ６０１のゲートに接続され、そのドレインに接続された負荷抵抗６０４の働きで、スイッチ６０８を介して同相出力信号として同相出力端子６１２より出力される。つまり、同相入力信号は、入力トランジスタ６０２及び負荷抵抗６０５で増幅される一方、逆相入力信号は、入力トランジスタ６０１及び負荷抵抗６０４で増幅される。【００２８】
以上のように、図２９に示す状態と図３０に示す状態とでは、同相入力信号の増幅回路と逆相入力信号の増幅回路とを、完全に入れ替えて使用している。【００２９】
ここで、上記差動増幅回路を構成する入力トランジスタ６０１と６０２の間において、及び／又は負荷抵抗６０４と６０５の間において、製造上のバラツキ等により偶発的に発生する特性の不一致が存在する場合について、図３１及び図３２を参照しながら、以下に説明する。【００３０】
本来同じ特性を持つべき差動増幅回路の２つの素子において差が生じた場合、出力電圧が理想的な状態からずれてしまい、オフセット電圧を持つ。このずれは、入力端子の一方に定電圧源を接続したものとしてモデル化できる。この様子を図３１及び図３２に示す。両図に示す６１５は、上記差動増幅回路のオフセット電圧を１つの定電圧源でモデル化したものである。なお、図３１に示すスイッチ素子は図２９に示す状態と同一であり、図３２に示すスイッチ素子は図３０に示す状態と同一である。【００３１】
図３１においては、定電圧源６１５は、スイッチ６０７を介して逆相入力端子６１１と接続されている。一方、図３２においては、定電圧源６１５は、スイッチ６０７を介して同相入力端子６１０と接続されている。このように、上記差動増幅回路は、スイッチ６０６から６０９を使用しているので、差動増幅回路の偶発的に発生するバラツキによるオフセット電圧を、逆相入力端子６１１側に入れた状態と、同相入力端子６１０側に入れた状態とで切り替えることができる。これら２つの状態では、同相出力端子６１０及び逆相出力端子６１１に現れるオフセット電圧は、符号が逆で絶対値が等しい状態となる。【００３２】
これにより、上記と同様、正極性のオフセット電圧を出力する場合と負極性のオフセット電圧を出力する場合とでは、期待値電圧からの偏差が等しくなるので、上記オペアンプを液晶駆動回路に使用した場合、液晶表示装置の画素間での印加電圧に差となって生じず、表示ムラを回避できる。【００３３】
図３３に、図２３の差動増幅回路の負荷素子をカレントミラー構成の能動負荷に変えた回路構成を示す。なお、図３３は、ＮチャンネルＭＯＳトランジスタを入力トランジスタとして使用した場合を示すものである。【００３４】
図３３において、１１０１及び１１０２はＮチャンネルＭＯＳによる入力トランジスタをそれぞれ示し、１１０３は本差動増幅回路に動作電流を与える定電流源を示し、１１０４は入力トランジスタ１１０１の負荷となるＰチャンネルＭＯＳによる負荷トランジスタを示し、１１０５は入力トランジスタ１１０２の負荷となるＰチャンネルＭＯＳによる負荷トランジスタを示し、１１０６及び１１０７は入力信号を切り替えるスイッチをそれぞれ示し、１１０８及び１１０９は出力信号を切り替えるスイッチをそれぞれ示し、１１１０は同相入力端子を示し、１１１１は逆相入力端子を示し、１１１２は同相出力端子を示し、１１１３は逆相出力端子を示し、１１１４はスイッチ１１０６から１１０９を同時に切り替える信号を入力するための切替信号入力端子を示す。【００３５】
上記差動増幅回路は、負荷素子がトランジスタによるカレントミラー構成の能動負荷である点において、図２３の構成例（受動負荷）と異なっている。図２４に対応する状態においては、同相入力信号は、入力トランジスタ１１０１及び負荷トランジスタ１１０４で増幅される一方、逆相入力信号は、入力トランジスタ１１０２及び負荷トランジスタ１１０５で増幅される。これに対して、図２５に対応する状態においては、同相入力信号は、入力トランジスタ１１０２及び負荷トランジスタ１１０５で増幅される一方、逆相入力信号は、入力トランジスタ１１０１及び負荷トランジスタ１１０４で増幅される。【００３６】
以上、何れの場合でも、上記負荷トランジスタ１１０４及び１１０５は、互いに、カレントミラー構成となっているので、たとえ両負荷トランジスタに特性のバラツキがあっても、負荷トランジスタ１１０４及び１１０５に流れる電流は常に等しくなり、この結果、同相入力信号及び逆相入力信号は同じ増幅度で増幅されることになり、左右対称な出力波形が得られることになる。【００３７】
以上のように、図３３に示す構成を有する差動増幅回路でも、同相入力信号の増幅回路と逆相入力信号の増幅回路とを、完全に入れ替えて使用することができる。【００３８】
また、上記差動増幅回路を構成する入力トランジスタ１１０１と１１０２の間において、製造上の理由などにより偶発的に発生する特性の不一致が存在する場合でも、詳細には説明しないが、図２３と同様の構成を有している。したがって、本差動増幅回路においては、スイッチ１１０６から１１０９を使用しているので、差動増幅回路の偶発的に発生するバラツキによるオフセット電圧を、逆相入力端子１１１１側に入れた状態と、同相入力端子１１１０側に入れた状態とで切り替えることができる。これら２つの状態では、同相出力端子１１１０及び逆相出力端子１１１１に現れるオフセット電圧は、符号が互いに逆で絶対値が等しい状態となる。【００３９】
これにより、上記と同様、正極性のオフセット電圧を出力する場合と負極性のオフセット電圧を出力する場合とでは、期待値電圧からの偏差が等しくなるので、上記オペアンプを液晶駆動回路に使用した場合、液晶表示装置の画素間での印加電圧に差となって生じず、表示ムラを回避できる。【００４０】
図３４に、図２８の差動増幅回路の負荷素子をカレントミラー構成の能動負荷に変えた回路構成を示す。なお、図３４は、ＰチャンネルＭＯＳトランジスタを入力トランジスタとして使用した場合を示すものである。【００４１】
図３４において、１２０１及び１２０２はＰチャンネルＭＯＳによる入力トランジスタをそれぞれ示し、１２０３は本差動増幅回路に動作電流を与える定電流源を示し、１２０４は入力トランジスタ１２０１の負荷となるＮチャンネルＭＯＳによる負荷トランジスタを示し、１２０５は入力トランジスタ１２０２の負荷となるＮチャンネルＭＯＳによる負荷トランジスタを示し、１２０６及び１２０７は入力信号を切り替えるスイッチをそれぞれ示し、１２０８及び１２０９は出力信号を切り替えるスイッチをそれぞれ示し、１２１０は同相入力端子を示し、１２１１は逆相入力端子を示し、１２１２は同相出力端子を示し、１２１３は逆相出力端子を示し、１２１４はスイッチ１２０６から１２０９を同時に切り替える信号を入力するための切替信号入力端子を示す。【００４２】
図３４の構成は、負荷素子がトランジスタによるカレントミラー構成の能動負荷である点において、図２８の構成（受動負荷）と異なっている。図２９に対応する状態においては、同相入力信号は、入力トランジスタ１２０１及び負荷トランジスタ１２０４で増幅される一方、逆相入力信号は、入力トランジスタ１２０２及び負荷抵抗１２０５で増幅される。これに対して、図３０に対応する状態においては、同相入力信号は、入力トランジスタ１２０２及び負荷トランジスタ１２０５で増幅される一方、逆相入力信号は、入力トランジスタ１２０１及び負荷トランジスタ１２０４で増幅される。【００４３】
以上、何れの場合でも、上記負荷トランジスタ１２０４及び１２０５は、互いに、カレントミラー構成となっているので、両負荷トランジスタに特性のバラツキがあっても、負荷トランジスタ１２０４及び１２０５に流れる電流は常に等しくなり、この結果、同相入力信号及び逆相入力信号は同じ増幅度で増幅されることになり、左右対称な出力波形が得られることになる。【００４４】
以上のように、図３４に示す構成を有する差動増幅回路でも、同相入力信号の増幅回路と逆相入力信号の増幅回路とを、完全に入れ替えて使用している。【００４５】
また、上記差動増幅回路を構成する入力トランジスタ１２０１と１２０２の間において、製造上の理由などにより偶発的に発生する特性の不一致が存在する場合でも、詳細には説明しないが、図２８と同様の構成を有している。したがって、上記差動増幅回路においては、スイッチ１２０６から１２０９を使用しているので、差動増幅回路の偶発的なバラツキによるオフセット電圧を、逆相入力端子１２１１側に入れた状態と、同相入力端子１２１０側に入れた状態とで切り替えることができる。これら２つの状態では、同相出力端子１２１０及び逆相出力端子１２１１に現れるオフセット電圧は、符号が互いに逆で絶対値が等しい状態となる。【００４６】
これにより、上記と同様、正極性のオフセット電圧を出力する場合と負極性のオフセット電圧を出力する場合とでは、期待値電圧からの偏差が等しくなるので、上記オペアンプを液晶駆動回路に使用した場合、液晶表示装置の画素間での印加電圧に差となって生じず、表示ムラを回避できる。【００４７】
図３５は、図３３に示す差動増幅回路と等価な差動増幅回路１３０１と、スイッチ及び出力部を具体化した構成例を示している。なお、図３５は、ＮチャンネルＭＯＳ入力のオペアンプに対応する。【００４８】
図３５において、１３０１は図３３で示す差動増幅回路を示し、１３０２は同相入力端子を示し、１３０３は逆相入力端子を示し、１３０４及び１３０５はスイッチ切替信号入力端子をそれぞれ示し、１３０６から１３０９はスイッチをそれぞれ示し、１３１０から１３１３はスイッチをそれぞれ示し、１３１４及び１３１５はＮチャンネルＭＯＳの入力トランジスタをそれぞれ示し、１３１６および１３１７は入力トランジスタの能動負荷となるＰチャンネルＭＯＳの負荷トランジスタをそれぞれ示し、１３１８はＰチャンネルＭＯＳの出力トランジスタを示し、１３１９はＮチャンネルＭＯＳの出力トランジスタを示し、１３２０は出力端子を示し、１３２１はオペアンプに動作点を与えるためのバイアス電圧入力端子を示す。ここで、差動増幅回路１３０１を図２３の抵抗負荷の差動増幅回路に置き換えた回路も、以下の説明と全く同一の動作をするため、ここでは詳細な説明を省略する。【００４９】
図３５において、１３１４及び１３１５が、図３３で示したスイッチ切替信号入力端子１１１４に相当し、１３０４と１３０５とは互いに逆相の信号を入力する。スイッチ切替信号入力に応じた回路の動作を図３６及び図３７を参照しながら、以下に説明する。【００５０】
図３５において、入力トランジスタ１３１４及び１３１５が、図３３で示した入力トランジスタ１１０１及び１１０２に相当し、負荷トランジスタ１３１６及び１３１７が図３３で示した負荷トランジスタ１１０４及び１１０５に相当する。【００５１】
また、図３５において、１３０７及び１３０９が、図３３で示したスイッチ１１０６に相当し、１３０６及び１３０８が、図３３で示したスイッチ１１０７に相当し、１３１０及び１３１３が、図３３で示したスイッチ１１０８に相当し、１３１１及び１３１２が、図３３で示したスイッチ１１０９に相当し、トランジスタ１３２２が、図３３で示した定電流源１１０３に相当する。【００５２】
切替入力信号１３０４にＬレベル（ローレベル）が入力されると、スイッチはＰチャンネルＭＯＳトランジスタであるので、図３６に示すように、スイッチ１３０６、１３０７、１３１０、及び１３１１がオン状態になる。この時、スイッチ切替信号入力端子１３０５にはＨレベル（ハイレベル）が入力されているため、スイッチ１３０８、１３０９、１３１２、及び１３１３はオフする。同相入力信号１３０２は、スイッチ１３０６を介して入力トランジスタ１３１５へ供給される。逆相入力信号１３０３は、スイッチ１３０７を介して入力トランジスタ１３１４へ供給される。また、スイッチ１３１０を介して負荷トランジスタ１３１６及び１３１７にゲート信号が供給され、スイッチ１３１１を介して出力トランジスタ１３１８へゲート信号が与えられる。図３６の場合、同相入力信号を増幅する回路は、トランジスタ１３１５及び負荷トランジスタ１３１７であり、逆相入力信号を増幅する回路は、トランジスタ１３１４及び負荷トランジスタ１３１６である。【００５３】
スイッチ切替信号入力端子１３０５にＬレベルが入力されると、図３７において、スイッチ１３０８、１３０９、１３１２、及び１３１３がオン状態になる。この時、スイッチ切替信号入力端子１３０４にはＨレベルが入力されているため、スイッチ１３０６、１３０７、１３１０、及び１３１１はオフする。この時、同相入力信号１３０２は、スイッチ１３０８を介して入力トランジスタ１３１４へ供給される。逆相入力信号１３０３は、スイッチ１３０９を介して入力トランジスタ１３１５へ供給される。また、スイッチ１３１３を介して負荷トランジスタ１３１６及び１３１７にゲート信号が与えられ、スイッチ１３１２を介して出力トランジスタ１３１８へゲート信号が与えられる。図３７の場合、同相入力信号を増幅する回路は、入力トランジスタ１３１４及び負荷トランジスタ１３１６であり、逆相入力信号を増幅する回路は、入力トランジスタ１３１５及び負荷トランジスタ１３１７である。【００５４】
図３６及び図３７に示したように、本差動増幅回路は、スイッチ１３０６から１３１３を切り替えることによって、同相入力信号の増幅回路と逆相入力信号の増幅回路とを入れ替えることができる。これにより、前述したように、差動増幅回路に製造上の特性バラツキ等による偶発的なオフセット電圧が発生した場合でも、このオフセット電圧は、この２つの状態で符号が互いに逆で絶対値が等しくなる。したがって、オペアンプに生じるオフセット電圧のバラツキも、スイッチ１３０６から１３１３を切り替えることによって、オフセット電圧の符号が互いに逆で絶対値が等しい状態を実現することができ、上記オフセット電圧を相殺できる。なお、図３６及び図３７において、点線は、信号の流れを示すものである。【００５５】
図３８は、図３４に示す差動増幅回路と等価な差動増幅回路１６０１と、スイッチ及び出力部を具体化した構成例を示している。なお、図３８は、ＰチャンネルＭＯＳ入力のオペアンプである。【００５６】
図３８において、１６０２は同相入力端子を示し、１６０３は逆相入力端子を示し、１６０４及び１６０５はスイッチ切替信号入力端子をそれぞれ示し、１６０６から１６０９はスイッチをそれぞれ示し、１６１０から１６１３はスイッチをそれぞれ示し、１６１４及び１６１５はＰチャンネルＭＯＳの入力トランジスタをそれぞれ示し、１６１６および１６１７は入力トランジスタの能動負荷となるＮチャンネルＭＯＳの負荷トランジスタをそれぞれ示し、１６１８はＮチャンネルＭＯＳの出力トランジスタを示し、１６１９はＰチャンネルＭＯＳの出力トランジスタを示し、１６２０は出力端子を示し、１６２１はオペアンプに動作点を与えるためのバイアス電圧入力端子を示す。ここで、差動増幅回路１６０１を図２８で述べた抵抗負荷の差動増幅回路に置き換えた回路も、以下の説明と全く同一の動作をするため、ここでは詳細な説明を省略する。【００５７】
図３８において、入力トランジスタ１６１４及び１６１５が、図３４で示した入力トランジスタ１２０１及び１２０２に相当し、負荷トランジスタ１６１６及び１６１７が、図３４で示した負荷トランジスタ１２０４及び１２０５に相当する。また、図３８において、１６０７及び１６０９が、図３４で示したスイッチ１２０６に相当し、１６０６及び１６０８が、図３４で示したスイッチ１２０７に相当し、１６１０及び１６１３が、図３４で示したスイッチ１２０８に相当し、１６１１及び１６１２が、図３４で示したスイッチ１２０９に相当し、トランジスタ１６２２が、図３４で示した定電流源１２０３に相当する。【００５８】
スイッチ切替信号入力端子１６０４にＨレベル（ハイレベル）が入力されると、スイッチはＮチャンネルＭＯＳトランジスタであるので、図３９に示すように、スイッチ１６０６、１６０７、１６１０、及び１６１１がオン状態になる。この時、スイッチ切替信号入力端子１６０５にはＬレベル（ローレベル）が入力されているため、スイッチ１６０８、１６０９、１６１２、及び１６１３はオフする。同相入力信号１６０２は、スイッチ１６０６を介して入力トランジスタ１６１５へ供給される。逆相入力信号１６０３は、スイッチ１６０７を介して入力トランジスタ１６１４へ供給される。また、スイッチ１６１０を介して負荷トランジスタ１６１６及び１６１７にゲート信号が供給され、スイッチ１６１１を介して出力トランジスタ１６１８へゲート信号が与えられる。図３９の場合、同相入力信号を増幅する回路は、入力トランジスタ１６１５及び負荷トランジスタ１６１７であり、逆相入力信号を増幅する回路は、入力トランジスタ１６１４及び負荷トランジスタ１６１６である。【００５９】
スイッチ切替信号入力端子１６０５にＨレベルが入力されると、図４０において、スイッチ１６０８、１６０９、１６１２、及び１６１３がオン状態になる。この時、スイッチ切替信号入力端子１６０４にはＬレベルが入力されているため、スイッチ１６０６、１６０７、１６１０、及び１６１１はオフする。この時、同相入力信号１６０２は、スイッチ１６０８を介して入力トランジスタ１６１４へ供給される。逆相入力信号１６０３は、スイッチ１６０９を介して入力トランジスタ１６１５へ供給される。また、スイッチ１６１３を介して負荷トランジスタ１６１６及び１６１７にゲート信号が与えられ、スイッチ１６１２を介して出力トランジスタ１６１８へゲート信号が与えられる。図４０の場合、同相入力信号を増幅する回路は、入力トランジスタ１６１４及び負荷トランジスタ１６１６であり、逆相入力信号を増幅する回路は、入力トランジスタ１６１５及び負荷トランジスタ１６１７である。【００６０】
図３９及び図４０に示したように、上記差動増幅回路は、スイッチ１６０６から１６１３を切り替えることによって、同相入力信号の増幅回路と逆相入力信号の増幅回路とを入れ替えることができる。これにより、前述したように、差動増幅回路に製造上のバラツキ等により偶発的に発生するオフセット電圧が発生した場合でも、このオフセット電圧は、この２つの状態で符号が互いに逆で絶対値が等しくなる。したがって、オペアンプに生じるオフセット電圧のバラツキも、スイッチ１６０６から１６１３を切り替えることによって、オフセット電圧の符号が逆で絶対値が等しい状態を実現することができ、上記オフセット電圧を相殺できる。なお、図３９及び図４０において、点線は、信号の流れを示すものである。【００６１】
以上のように、第３従来技術では、正極性電圧は入力段にＮチャンネルＭＯＳトランジスタを使用したオペアンプから出力すると共に、負極性電圧は入力段にＰチャンネルＭＯＳトランジスタを使用したオペアンプから出力し、正極性電圧／負極性電圧を切替スイッチで切り替えてフルレンジ出力にするのに加えて、更にオペアンプの入力端子（同相入力端子および逆相入力端子）への入力信号として、同相入力信号もしくは逆相入力信号を切り替えて入力することで、前述の正極性電圧／負極性電圧に加えて、入力信号の切り替えによって新たに正極性電圧／負極性電圧（前述の正極性電圧／負極性電圧を反転したもの）を作りだすことによって、ＮチャンネルＭＯＳトランジスタを使用したオペアンプで発生するオフセット電圧による偏差Ａと−Ａ、ＰチャンネルＭＯＳトランジスタを使用したオペアンプで発生するオフセット電圧による偏差Ｂと−Ｂを、フレーム間で切り替えることにより４フレーム間で上記偏差を打ち消し（図４１参照）、表示ムラの発生を回避することができる。
【先行技術文献】
【特許文献】
【００６２】
【特許文献１】日本国公開特許公報「特開２００２−１０８３０３号公報（２００２年４月１０日公開）」
【特許文献２】日本国公開特許公報「特開平１１−３０５７３５号公報（１９９５年１１月５日公開）」
【発明の概要】
【発明が解決しようとする課題】
【００６３】
しかしながら、上記従来技術では、オフセット電圧が大きい場合には、表示画面全体でのフリッカによる表示品位の低下を招くおそれがある。【００６４】
本発明は、上記問題点に鑑みなされたものであり、その目的は、表示画面全体におけるフリッカの発生を抑え、表示品位を高めることができる表示駆動回路、表示装置及び表示駆動方法を提供することにある。
【課題を解決するための手段】
【００６５】
本発明の表示駆動回路は、上記課題を解決するために、
同相または逆相の入力信号を増幅する第１及び第２増幅回路と、
切替信号に基づいて、上記２つの入力信号を選択的に切り替えて上記第１及び第２増幅回路へ入力する切替回路と、
上記切替信号を上記切替回路に出力することにより、上記切替回路の切り替えを制御する切替制御回路とを備えており、
上記切替制御回路は、水平同期信号よりも高周波数の上記切替信号を、上記切替回路に出力することを特徴としている。【００６６】
上記の構成によれば、水平同期信号よりも高周波数の切替信号に基づいて、同相または逆相の入力信号を切り替える。【００６７】
これにより、オペアンプが持つ固有のオフセット電圧（例えば＋Ａ、−Ａ）の切り替え周期（オフセット切替信号の周波数）を早めることができるため、実際に、画素電極に印加されるソース電圧レベルに付加される電圧レベルを、所定の電圧レベル（＋Ａ、−Ａ）よりも小さくすることができる（図１１参照）。そのため、画素電極に実際に印加される電圧を、期待値電圧に近づけることができる。よって、表示画面全体におけるフリッカの発生を抑えることができる。【００６８】
本発明の表示駆動回路の駆動方法は、上記課題を解決するために、
同相または逆相の入力信号を増幅する第１及び第２増幅回路と、
切替信号に基づいて上記２つの入力信号を選択的に切り替えて上記第１及び第２増幅回路へ入力する切替回路と、
上記切替信号を上記切替回路に出力することにより、上記切替回路の切り替えを制御する切替制御回路とを備える表示駆動回路の駆動方法であって、
上記切替制御回路は、水平同期信号よりも高周波数の上記切替信号を、上記切替回路に出力することを特徴としている。【００６９】
上記の駆動方法によれば、表示画面全体におけるフリッカの発生を抑えることができる。
【発明の効果】
【００７０】
以上のように、本発明の表示駆動回路、表示装置及び表示駆動方法では、上記切替制御回路は、水平同期信号よりも高周波数の上記切替信号を、上記切替回路に出力する構成である。これにより、表示画面全体としてのフリッカの発生を抑え、表示品位を高めることができる。
【図面の簡単な説明】
【００７１】
【図１】本発明に係る液晶表示装置の概略構成を示すブロック図である。
【図２】図１の液晶表示装置における液晶パネルの概略構成を示す平面図である。
【図３】図１の液晶表示装置における液晶駆動波形の一例を示す図である。
【図４】図１の液晶表示装置における液晶駆動波形の一例を示す図である。
【図５】図１の液晶表示装置における液晶パネルの表示の極性状態を示す図である。
【図６】図１の液晶表示装置におけるライン反転駆動方式（１ライン反転駆動）におけるソースドライバの駆動波形を示す図であり、（ａ）はＶｃｏｍが一定の場合を示し、（ｂ）はＶｃｏｍが矩形波の場合を示している。
【図７】図１の液晶表示装置におけるソースドライバの構成を示すブロック図である。
【図８】図７に示す、ホールドメモリ回路、Ｄ／Ａ変換回路及び出力回路の一部を示すブロック図である。
【図９】図７のソースドライバにおける切替制御回路の構成例を示す回路図である。
【図１０】図７のソースドライバにおける切替制御回路及びオペアンプの入力信号波形および出力信号波形を示す図である。
【図１１】図１の液晶表示装置における液晶駆動電圧波形例を示す波形図である。
【図１２】図７のソースドライバにおける切替制御回路及びオペアンプの入力信号波形および出力信号波形を示す図である。
【図１３】図１の液晶表示装置における他の液晶駆動電圧波形例を示す波形図である。
【図１４】（ａ）及び（ｂ）は、本発明の変形例１における切替制御回路において、第１、第２フレームにおける極性状態、切替制御信号の電位レベル、及びオフセット状態を示す図である。
【図１５】変形例１の液晶表示装置における、第３行及び第４行に対応する、切替制御回路及びオペアンプの入力信号波形および出力信号波形を示す図である。
【図１６】（ａ）及び（ｂ）は、本発明の変形例２における切替制御回路において、第１、第２フレームにおける極性状態、切替制御信号の電位レベル、及びオフセット状態を示す図である。
【図１７】（ａ）及び（ｂ）は、本発明の変形例３における切替制御回路において、第１、第２フレームにおける極性状態、切替制御信号の電位レベル、及びオフセット状態を示す図である。
【図１８】従来の液晶表示装置におけるソースドライバの構成を示すブロック図である。
【図１９】（ａ）及び（ｂ）は、第１従来技術に係るソースドライバＩＣの出力回路のブロック構成図とその動作の一例を示す図である。
【図２０】図１９に示す構成の場合の液晶駆動電圧波形を示す波形図である。
【図２１】（ａ）及び（ｂ）は、第２従来技術に係るソースドライバＩＣの出力回路のブロック構成図とその動作の一例を示す図である。
【図２２】図２１に示す構成の場合の液晶駆動電圧波形を示す波形図である。
【図２３】第３従来技術に係る差動増幅回路を示す回路図である。
【図２４】図２３の差動増幅回路の１つの動作状態を示す図である。
【図２５】図２３の差動増幅回路の他の動作状態を示す図である。
【図２６】図２４に示す動作状態において、製造上のバラツキ等により偶発的に発生する特性の不一致が存在する場合の動作を示す説明図である。
【図２７】図２５に示す動作状態において、製造上のバラツキ等により偶発的に発生する特性の不一致が存在する場合の動作を示す説明図である。
【図２８】第３従来技術に係る他の差動増幅回路を示す回路図である。
【図２９】図２８の差動増幅回路の動作を示す説明図である。
【図３０】図２８の差動増幅回路の他の動作を示す説明図である。
【図３１】図２９に示す動作状態において、製造上の理由などにより偶発的に発生する特性の不一致が存在する場合の動作を示す説明図である。
【図３２】図３０に示す動作状態において、製造上の理由などにより偶発的に発生する特性の不一致が存在する場合の動作を示す説明図である。
【図３３】図２３の差動増幅回路の負荷素子をカレントミラー構成の能動負荷に変えた回路構成を示す回路図である。
【図３４】図２８の差動増幅回路の負荷素子をカレントミラー構成の能動負荷に変えた回路構成を示す回路図である。
【図３５】図３３に示す差動増幅回路と等価な差動増幅回路と、スイッチ及び出力部を具体化した例を示す回路図である。
【図３６】図３５のオペアンプの動作を示す回路図である。
【図３７】図３５のオペアンプの他の動作を示す回路図である。
【図３８】図３４に示す差動増幅回路と等価な差動増幅回路と、スイッチ及び出力部を具体化した例を示す回路図である。
【図３９】図３８のオペアンプの動作を示す回路図である。
【図４０】図３８のオペアンプの他の動作を示す回路図である。
【図４１】従来の交流化スイッチ切替信号ＲＥＶ、及びオペアンプのスイッチ切替信号ＳＷＰと出力の関係を示した波形図である。
【発明を実施するための形態】
【００７２】
図１に、本発明に係るアクティブマトリクス方式の代表例であるＴＦＴを用いた液晶表示装置（表示装置）のブロック構成を示す。液晶表示装置１は、液晶パネル１０、複数のソースドライバチップを備えたソースドライバ２０（表示駆動回路）、複数のゲートドライバチップを備えたゲートドライバ３０、コントロール回路４０、及び、液晶駆動電源（電源回路）５０を備えている。なお、ソースドライバチップ及びゲートドライバチップは、それぞれ、複数個に限定されず、１つずつ設けられていても良い。また、ソースドライバ２０及びゲートドライバ３０は、それぞれ、ドライバチップで構成されず、液晶パネル内にモノリシックに形成されていても良い。
【００７３】
コントロール回路４０は、ゲートドライバ３０へ垂直同期信号を送ると共に、ソースドライバ２０及びゲートドライバ３０へ水平同期信号を送る。外部から入力された表示データ（ここでは、Ｒ、Ｇ、Ｂに分離された各表示データ）は、コントロール回路４０を介してデジタル信号としてソースドライバ２０へ入力される。ソースドライバ２０は、入力された表示データを時分割で内部にラッチし、その後、コントロール回路４０からの水平同期信号に同期してデジタル／アナログ変換を行い、液晶駆動出力端子から階調表示用のアナログ電圧を出力する。
【００７４】
図２に、液晶パネル１０の概略構成図を示す。各画素Ｐに対応して、画素電極１１、画素容量１２、ＴＦＴ（スイッチ素子）１３、ソースライン１４、ゲートライン１５、及び、対向電極１６が設けられている。
【００７５】
ソースライン１４には、ソースドライバ２０から、表示画素の明るさに応じて変化する階調表示電圧（ソース電圧）が与えられる。ゲートライン１５には、ゲートドライバ３０から、列方向に配設されたＴＦＴ１３が順次オンするように走査信号（ゲート信号）が与えられる。ＴＦＴ１３がオン状態になると、ＴＦＴ１３のドレインに接続された画素電極１１にソースライン１４の電圧が印加され、対向電極１６との間の画素容量１２に蓄積され、これにより、液晶の光透過率が変化し、変化に応じた表示が行われる。
【００７６】
図３及び図４に液晶駆動波形の一例を示す。Ｓ１及びＳ２は、ソースドライバ２０から出力されるソース電圧（データ信号）の駆動波形を示し、Ｇ１及びＧ２は、ゲートドライバ３０から出力される走査信号の駆動波形を示し、Ｖｃｏｍは、対向電極の電位を示し、ＶＰ１及びＶＰ２は、画素電極１１の電圧波形（画素電位）を示す。
【００７７】
液晶材料に印加される電圧は、画素電極１１と対向電極１６の電位差であり、図中には斜線で示している。液晶パネル１０は長期信頼性を確保するために、交流で駆動する。図３は、ソースドライバ２０の出力電圧が対向電極１６の電圧より高いときにゲートドライバ３０の出力によりＴＦＴ１３がオンして、画素電極１１へ対向電極１６に対して正極性の電圧が印加され、その後、ＴＦＴ１３がオフしてその電位が維持される場合を示している。
【００７８】
一方、図４は、ソースドライバ２０の出力電圧が対向電極１６の電圧より低いときにゲートドライバ３０の出力によりＴＦＴ１３がオンして、画素電極１１へ対向電極１６に対して負極性の電圧が印加され、その後、ＴＦＴ１３がオフしてその電位が維持される場合を示している。このように、図３の波形電圧と図４の波形電圧とを交互に印加することで、液晶材料に加わる電圧を交流化して駆動することが可能となる。
【００７９】
図５に、駆動電圧を交流化する際の、液晶パネル１０上の交流化の極性配列の一例を示す。ここでは、ライン反転駆動方式を例に挙げる。ライン反転駆動方式では、１つの表示画面（フレーム）内の各画素において、行方向（ゲートラインの延伸方向）に同一極性となり、列方向（ソースラインの延伸方向）にｎ行（ライン）毎（ｎは１以上の整数）に逆極性となり、かつ、フレーム毎に極性が反転する。この方式では、同一水平走査期間において、ソースドライバ２０の全ての出力端子から、同一極性（正極性または負極性）の電圧（データ信号）が出力される。なお、列方向に１ライン毎（ｎ＝１）に極性が反転する場合は１ライン反転駆動となり、列方向に２ライン毎（ｎ＝２）に極性が反転する場合は２ライン反転駆動となる。また、ライン反転駆動方式には、１フレーム毎に極性が反転する構成のみならず、複数フレーム毎に極性が反転する構成も含まれる。
【００８０】
図６に、ライン反転駆動方式（１ライン反転駆動）におけるソースドライバ２０の駆動波形例を示す。図６の（ａ）では、Ｖｃｏｍが一定であり、水平走査期間毎（すなわち、奇数ライン及び偶数ライン毎）に、正極性と負極性の信号が交互に出力される場合を示している。また、図６の（ｂ）に示すように、Ｖｃｏｍを矩形波の信号としても良い。図６の（ｂ）の構成によれば、図６の（ａ）の構成と比較して、データ信号の振幅（ソース振幅）を小さくすることができるため、低消費電力化を図ることができる。
【００８１】
１ライン反転駆動方式では、図６に示すように、奇数ライン及び偶数ラインについて、それぞれ各水平走査期間（Ｈ）において同一極性となり、対向電極１６に対して互いに逆極性となる電圧が出力される。
【００８２】
なお、本発明の液晶表示装置１は、ライン反転駆動方式に限定されず、ドット反転駆動方式であってもよい。
【００８３】
図７は、本発明に係るソースドライバ２０の構成を示すブロック図の一例を示す。ソースドライバ２０は、シフトレジスタ回路２３、サンプリングメモリ回路２４、ホールドメモリ回路２５、レベルシフタ回路２６、Ｄ／Ａ変換回路２７、出力回路２８、切替制御回路２９、入力ラッチ回路２１、基準電圧発生回路２２を備えている。
【００８４】
図７に示すように、ソースドライバ２０に入力されたデジタル信号の表示データ（Ｒ、Ｇ、Ｂデータ）は、入力ラッチ回路２１を介して、シフトレジスタ回路２３の動作に基づいて時分割でサンプリングメモリ回路２４に記憶され、その後、水平同期信号に基づいてホールドメモリ回路２５に一括転送される。なお、シフトレジスタ回路２３は、スタートパルス及びデータクロックＤＣＬＫに基づいて動作し、入力ラッチ回路２１はデータクロックＤＣＬＫに基づいて動作する。ホールドメモリ回路２５のデータは、レベルシフタ回路２６を介してＤ／Ａ変換回路２７でアナログ電圧に変換され、出力回路２８により、液晶駆動出力端子を介して階調表示駆動電圧（液晶駆動電圧）として出力される。なお、ホールドメモリ回路２５により１水平同期期間、表示データは、ラッチされ維持されている。そして、次の水平同期信号により新たな表示データが取り込まれ、ラッチされる。
【００８５】
（差増増幅回路について）
図８には、ホールドメモリ回路２５ａ及び２５ｂ（図７のホールドメモリ回路２５に相当）、Ｄ／Ａ変換回路２７ａ及び２７ｂ（図７のＤ／Ａ変換回路２７に相当）、及び、図７の出力回路２８を構成するオペアンプ２を示している。なお、図８では、図７の液晶駆動出力端子６の１出力端子分を示している。Ｄ／Ａ変換回路２７ａは、正極性電圧のデジタル／アナログ変換を行い、Ｄ／Ａ変換回路２７ｂは、負極性電圧のデジタル／アナログ変換を行う。また、ホールドメモリ回路２５ａ及び２５ｂは、表示データ（Ｒ、Ｇ、Ｂデータ）を保持する。
【００８６】
出力回路２８は、各出力端子６に対応する複数のオペアンプ２を備えている。図８の符号３Ｎは、ＮチャンネルＭＯＳ入力のオペアンプを示し、符号３Ｐは、ＰチャンネルＭＯＳ入力のオペアンプを示す。
【００８７】
ここで、上記オペアンプ２を含んで構成される本発明に係る差増増幅回路は、従来の構成を適用することができる。すなわち、本発明に係る、１つのＮチャンネルＭＯＳ入力のオペアンプ３Ｎで構成される差動増幅回路は、図２３に示す差増増幅回路を適用することができ、１つのＰチャンネルＭＯＳ入力のオペアンプ３Ｐで構成される差動増幅回路は、図２８に示す差増増幅回路を適用することができる。なお、図２３に示す差増増幅回路を本発明に適用した場合、同相入力端子１１０が、図８に示すオペアンプ３Ｎの＋入力端子に相当し、逆相入力端子１１１が、図８に示すオペアンプ３Ｎの−入力端子に相当する。また、図２８に示す差増増幅回路を本発明に適用した場合、同相入力端子６１０が、図８に示すオペアンプ３Ｐの＋入力端子に相当し、逆相入力端子６１１が、図８に示すオペアンプ３Ｐの−入力端子に相当する。
【００８８】
また、本発明に係る、１つのＮチャンネルＭＯＳ入力のオペアンプ３Ｎで構成される差動増幅回路は、図３３に示す差増増幅回路を適用することもでき、１つのＰチャンネルＭＯＳ入力のオペアンプ３Ｐで構成される差動増幅回路は、図３４に示す差増増幅回路を適用することもできる。なお、図３３に示す差増増幅回路を本発明に適用した場合、同相入力端子１１１０が、図８に示すオペアンプ３Ｎの＋入力端子に相当し、逆相入力端子１１１１が、図８に示すオペアンプ３Ｎの−入力端子に相当する。また、図３４に示す差増増幅回路を本発明に適用した場合、同相入力端子１２１０が、図８に示すオペアンプ３Ｐの＋入力端子に相当し、逆相入力端子１２１１が、図８に示すオペアンプ３Ｐの−入力端子に相当する。
【００８９】
また、図２３の切替信号１１４、図２８の切替信号６１４、図３３の切替信号１１１４、及び、図３４の切替信号１２１４は、本ソースドライバ２０（図７参照）におけるオフセット切替信号４に相当する。また、図２３の切替スイッチ１０６及び１０７、図２８の切替スイッチ６０６及び６０７、図３３の切替スイッチ１１０６及び１１０７、及び、図３４の切替スイッチ１２０６及び１２０７は、それぞれ、本発明の切替回路に相当する。本発明の切替回路は、オフセット切替信号４（図７参照）に基づいて、オペアンプ３Ｎ、３Ｐへの２つの入力信号（同相入力信号、逆相入力信号）を選択的に切り替えて、オペアンプ３Ｎ、３Ｐへそれぞれ入力する。
【００９０】
上記本発明に係る差動増幅回路の動作は、図２４、図２５、図２９及び図３０に示した動作と同一であるため、ここでは説明を省略する。なお、図８のスイッチ５、７ａ及び７ｂは、液晶駆動出力の出力電圧極性を切り替える出力交流化スイッチをそれぞれ示し、図８の（ａ）及び（ｂ）に示すように、フレーム反転で交互に切り替えられる。また、１ライン反転駆動の場合には、１フレーム毎に交互に図８の（ａ）及び（ｂ）の切り替えが行われるとともに、１水平走査期間毎（１行毎）に交互に図８の（ａ）及び（ｂ）の切り替えが行われ、２ライン反転駆動の場合には、１フレーム毎に交互に図８の（ａ）及び（ｂ）の切り替えが行われるとともに、２水平走査期間毎（２行毎）に交互に図８の（ａ）及び（ｂ）の切り替えが行われる。
【００９１】
（フリッカの抑制について）
ここで、一般に差動増幅回路は、上述したように、差動増幅回路を構成する素子の特性の不一致によりオフセット電圧を持つことが知られている。この点、従来の差動増幅回路を液晶駆動回路（ソースドライバ）に使用した場合は、例えば図２６及び図２７を用いて説明したように、オフセット電圧が相殺されることにより、表示ムラを回避することができる。ところが、上記表示ムラを回避することができたとしても、オフセット電圧が大きく、選択する正極性のオフセット電圧及び負極性のオフセット電圧の切替周期（切替信号１１４の周波数）が長い場合（例えば、１水平走査期間）には、表示画面全体においてフリッカが発生するおそれがある。
【００９２】
これに対して、本発明に係るソースドライバ２０では、差動増幅回路が従来の構成と同一の構成を備えているため上記表示ムラを回避することができるとともに、従来の構成とは異なる特有の構成を備えることにより、上記フリッカの発生をも抑えることができる。以下では、本ソースドライバ２０において、フリッカの発生を抑えるための構成について説明する。
【００９３】
本発明に係るソースドライバ２０では、切替制御回路２９（図７参照）から出力されるオフセット切替信号４の周波数は、少なくとも、水平同期信号よりも高周波数となっている。例えば、オフセット切替信号４の周波数は、データクロックＤＣＬＫの周波数と同一の周波数、または、データクロックＤＣＬＫの周波数の１／ｍ（ｍは１以上の整数）である。以下、切替制御回路２９及び本差動増幅回路について説明する。
【００９４】
図９は、切替制御回路２９の構成例を示す回路図である。図９では、データクロックＤＣＬＫの周波数を１／４に分周する構成について示している。具体的には、切替制御回路２９は、２つのＤフリップフロップ回路ＤＦＦ１、ＤＦＦ２により構成されており、ＤＦＦ１及びＤＦＦ２のそれぞれの入力端子Ｄがそれぞれの出力端子／Ｑに接続され、ＤＦＦ１のクロック入力端子ＣＫにデータクロックＤＣＬＫが入力され、ＤＦＦ１の出力端子Ｑの出力が次段のＤＦＦ２のクロック入力端子ＣＫに入力される。そして、ＤＦＦ２の出力端子／Ｑから、オフセット切替信号４が出力される。なお、データクロックＤＣＬＫの周波数を分周する切替制御回路２９の構成は、図９に示す構成に限定されるものではなく、周知の構成を適用することができる。また、切替制御回路２９のクロック入力端子ＣＫに入力される信号は、データクロックＤＣＬＫに限定されるものではなく、他の信号であってもよい。すなわち、切替制御回路２９は、入力信号に基づいて、水平同期信号よりも高周波数のオフセット切替信号４を生成する構成を有している。
【００９５】
次に、切替制御回路２９及び本差動増幅回路の入力信号波形および出力信号波形を図１０に示す。図１０には、水平同期信号、データクロックＤＣＬＫ、走査信号（ゲート信号）、ソース信号（データ信号電位）、オフセット切替信号４、及び、オフセット電圧の変化を示している。
【００９６】
図１０の例では、切替制御回路２９から出力されるオフセット切替信号４（図７参照）は、データクロックＤＣＬＫの周波数の１／４の周波数で、ハイレベル（Ｈ；第１電位）またはローレベル（Ｌ；第２電位）が切り替わる。そして、図２３に示す差増増幅回路を本発明に適用した例を挙げると、例えばオフセット切替信号４がハイレベルのときは、図２４の状態が選択され、オフセット切替信号４がローレベルのときは、図２５の状態が選択される。ここで、図２４の状態のときのオフセット電圧を＋Ａ、図２５の状態のときのオフセット電圧を−Ａとする。
【００９７】
ここで、本差動増幅回路は、その特性上、＋Ａのオフセット電圧が選択されてから、オフセット電圧の電圧レベルが＋Ａに到達するまで所定の時間を要し、−Ａのオフセット電圧を選択されてから、オフセット電圧の電圧レベルが−Ａに到達するまで所定の時間を要する。
【００９８】
したがって、例えば＋Ａのオフセット電圧が選択されてから電圧レベルが＋Ａに到達するまでの間に、オフセット切替信号４がハイレベルからローレベルに切り替わった場合、オフセット電圧は、＋Ａの電圧レベルに到達する前に、−Ａの電圧レベルに向かって低下する。同様に、−Ａのオフセット電圧が選択されてから電圧レベルが−Ａに到達するまでの間に、オフセット切替信号４がローレベルからハイレベルに切り替わった場合、オフセット電圧は、−Ａの電圧レベルに到達する前に、＋Ａの電圧レベルに向かって上昇する。
【００９９】
そのため、オフセット電圧を切り替える周期（オフセット切替信号４の周波数）を、＋Ａまたは−Ａの電圧レベルに到達しない程度に早めることにより、実際に画素電極に印加されるソース電圧レベルに付加される電圧レベル（オフセット電圧α）を小さく（｜±α｜＜｜±Ａ｜）することができる（図１１参照）。図１０では、画素電極１１へ供給されるソース電圧レベルが確定される、ゲート信号の立下りのタイミングで、オフセット電圧は＋α（＜＋Ａ）である。
【０１００】
これにより、水平走査期間における期待値電圧からの偏差を減少させることができる。すなわち、画素電極に実際に印加される電圧を、期待値電圧に近づけることができる。よって、表示画面全体におけるフリッカの発生を抑えることができる。
【０１０１】
本実施の形態では、各水平走査期間（Ｈ）の先頭で、常に＋Ａのオフセット電圧を選択する（オフセット切替信号４をハイレベル（「Ｈ」）にする）構成としている。なお、各水平走査期間（Ｈ）の先頭で、常に−Ａのオフセット電圧を選択する（オフセット切替信号４をハイレベル（「Ｌ」）にする）構成としてもよい。すなわち、本実施の形態では、各水平走査期間（Ｈ）で、オフセット切替信号４の動作（シーケンス）、具体的には、Ｈレベル（第１電位）及びＬレベル（第２電位）の切替動作（以下、同様）が同一である。これにより、水平同期信号とゲート信号の立下りタイミングとの位相関係が常に一定であれば、各行において、オフセット電圧を＋αまたは−αに統一することができる（図１０では、全行において＋αとなる）。
【０１０２】
なお、オフセット切替信号４の周波数は、データクロックＤＣＬＫの周波数の１／４に限定されるものではなく、データクロックＤＣＬＫの周波数と同一若しくは１／２、１／８等、オペアンプの特性に応じて適宜設定することができる。
【０１０３】
ここで、図１２に示すように、ゲート信号の立下りのタイミングで、オフセット電圧（＋Ａ、−Ａ）の平均値（センター電位）となるように、オフセット切替信号４を切り替える構成としても良い。これにより、図１３に示すように、ソース電圧レベルに付加される実際のオフセット電圧を理論上ゼロ（実際のソース印加電圧＝期待値電圧）にすることができるため、フリッカの発生を確実に抑えることができる。
【０１０４】
以下、切替制御回路２９及び本差動増幅回路の変形例について説明する。
【０１０５】
（変形例１）
本変形例１では１ライン反転駆動を前提としており、図１４の（ａ）に示すように、奇数フレームの奇数行、及び、偶数フレームの偶数行は、正極性（＋）となり、奇数フレームの偶数行、及び、偶数フレームの奇数行は、負極性（−）となる。
【０１０６】
変形例１に係る切替制御回路２９では、水平走査期間（Ｈ）の先頭を、２行毎に、＋Ａのオフセット電圧と−Ａのオフセット電圧とを切り替える構成としている。すなわち、２行毎に、オフセット切替信号４の動作（シーケンス）が異なっている（ここでは、オフセット切替信号４の電圧レベルが２行毎に反転している）。例えば、第１行及び第２行において、水平走査期間の先頭を＋Ａのオフセット電圧を選択し（オフセット切替信号４をハイレベル（Ｈレベル）にし）、第３行及び第４行において、水平走査期間の先頭を−Ａのオフセット電圧を選択する（オフセット切替信号４をローレベル（Ｌレベル）にする）構成である。
【０１０７】
図１４の（ａ）には、第１行〜第５行について、第１、第２フレームの表示画面における極性状態と、各行の水平走査期間におけるオフセット切替信号４の変化の様子を示している。同図の「Ｈ」は＋Ａのオフセット電圧の選択（ハイレベル）を示し、「Ｌ」は−Ａのオフセット電圧の選択（ローレベル）を示している。１つの「Ｈ（またはＬ）」の期間はデータクロックＤＣＬＫの周期に対応する。よって、ここでは、オフセット切替信号４の周波数は、データクロックＤＣＬＫの周波数の１／４に相当する。また、図１４の（ｂ）には、第（４Ｍ＋１）行〜第（４Ｍ＋４）行について、第１フレームの表示画面における極性状態と、各行のオフセット状態とを示している。なお、同図において、第（４Ｍ＋１）行及び第（４Ｍ＋２）行のオフセット状態が＋α、第（４Ｍ＋３）行及び第（４Ｍ＋４）行のオフセット状態が−αとなっているが、ゲート信号の立下りのタイミングによってはこの関係が逆転する。すなわち、同図では、２行毎にオフセット状態が異なることを表している。
【０１０８】
また、第１行及び第２行のタイミングチャートは、図１０と同一である。図１５は、第３行及び第４行のタイミングチャートである。図１４、図１０及び図１５に示すように、本変形例では、ゲート信号が立ち下がるタイミングで選択されるオフセット電圧の極性が、２行毎に異なっている（＋α、−α）。
【０１０９】
ここで、オペアンプ毎にオフセット方向がランダムの場合、＋αと−αの状態が等価であるため、画面全体で見たときには、オペアンプ毎のオフセット電圧が互いに打ち消され、画面全体でのフリッカを抑えられるが、オフセット方向が、オペアンプ毎に偏りがある場合、例えば、隣接する複数のオペアンプの全て、あるいは、多数が同じ方向であったり、チップ内部でオフセット方向が何れかの方向に偏ったりした場合、隣接しているオペアンプ群において、「正極性・＋α」のオフセット状態と、「負極性・＋α」のオフセット状態との２種類の状態を交互に繰り返すため、この繰り返しがフリッカとして認識されやすくなる。
【０１１０】
この点、変形例１によれば、「正極性・＋α」のオフセット状態、「負極性・＋α」のオフセット状態、「正極性・−α」のオフセット状態、「負極性・−α」のオフセット状態の４種類の状態を交互に繰り返すことになる。これにより、上記の場合に比べて、オフセット状態の繰り返し周期が複雑になり、オフセット方向が分散させられるため、画面全体として、フリッカが認識されにくくなる。
【０１１１】
（変形例２）
本変形例２では２ライン反転駆動を前提としており、図１６の（ａ）に示すように、奇数フレームの第１行及び第２行、偶数フレームの第３行及び第４行は、正極性（＋）となり、奇数フレームの第３行及び第４行、及び、偶数フレームの第１行及び第２行は、負極性（−）となる。
【０１１２】
変形例２に係る切替制御回路２９では、２ライン反転駆動を行う液晶パネル１０において、水平走査期間（Ｈ）の先頭を、１行毎に、＋Ａのオフセット電圧と−Ａのオフセット電圧とを切り替える構成としている。すなわち、１行毎に、オフセット切替信号４の動作（シーケンス）異なっている（ここでは、オフセット切替信号４の電圧レベルが１行毎に反転している）。例えば、第１行及び第３行において、水平走査期間の先頭を＋Ａのオフセット電圧を選択し（オフセット切替信号４をハイレベル（「Ｈ」）にし）、第２行及び第４行において、水平走査期間の先頭を−Ａのオフセット電圧を選択する（オフセット切替信号４をローレベル（「Ｌ」）にする）構成とする。
【０１１３】
図１６の（ａ）には、第１行〜第５行について、第１、第２フレームの表示画面における極性状態と、各行の水平走査期間におけるオフセット切替信号４の変化の様子を示している。ここでは、オフセット切替信号４の周波数は、データクロックＤＣＬＫの周波数の１／４となっている。また、図１６の（ｂ）には、第（４Ｍ＋１）行〜第（４Ｍ＋４）行について、第１フレームの表示画面における極性状態と、各行のオフセット状態とを示している。同図では、１行毎にオフセット状態が異なることを表している。
【０１１４】
また、第１行及び第３行のタイミングチャートは、図１０と同一であり、第２行及び第４行のタイミングチャートは、図１５と同一である。図１６、図１０及び図１５に示すように、本変形例では、ゲート信号が立ち下がるタイミングで選択されるオフセット電圧の極性が、１行毎に異なっている。これにより、変形例１と同様、オフセット方向がある程度複数の出力毎に同じ方向に固まっている場合でも、オフセット方向を分散させることができるため、フリッカをより抑えることができる。
【０１１５】
（変形例３）
変形例３に係る切替制御回路２９では、１ライン反転駆動を行う液晶パネル１０において、水平走査期間（Ｈ）の先頭を、２行毎に、＋Ａのオフセット電圧と−Ａのオフセット電圧とを切り替え、かつ、偶数端子と奇数端子とで異なる極性（＋Ａ、−Ａ）となるように切り替える構成としている。例えば、第１行及び第２行において、偶数端子では、水平走査期間の先頭を＋Ａのオフセット電圧を選択し（オフセット切替信号４をハイレベル（「Ｈ」）にし）、奇数端子では、水平走査期間の先頭を−Ａのオフセット電圧を選択する（オフセット切替信号４をローレベル（「Ｌ」）にする）。また、第３行及び第４行において、偶数端子では、水平走査期間の先頭を−Ａのオフセット電圧を選択し（オフセット切替信号４をローレベル（「Ｌ」）にし）、奇数端子では、水平走査期間の先頭を＋Ａのオフセット電圧を選択する（オフセット切替信号４をハイレベル（「Ｈ」）にする）。
【０１１６】
図１７の（ａ）には、第１行〜第５行について、第１、第２フレームの表示画面における極性状態と、各行の水平走査期間における奇数端子及び偶数端子毎のオフセット切替信号４の変化の様子を示している。ここでは、オフセット切替信号４の周波数は、データクロックＤＣＬＫの周波数の１／４となっている。また、図１７の（ｂ）には、第（４Ｍ＋１）行〜第（４Ｍ＋４）行について、奇数端子及び偶数端子における、第１フレームの表示画面における極性状態と、各行のオフセット状態とを示している。同図では、２行毎にオフセット状態が異なり、かつ、偶数端子及び奇数端子でオフセット状態が異なることを表している。
【０１１７】
第１フレームにおいて、奇数出力の第１行及び第２行、及び、偶数出力の第３行及び第４行のタイミングチャートは、図１０と同一であり、奇数出力の第３行及び第４行、及び、偶数出力の第１行及び第２行のタイミングチャートは、図１５と同一である。図１７、図１０及び図１５に示すように、本変形例では、ゲート信号が立ち下がるタイミングで選択されるオフセット電圧の極性が、２行毎に異なり、かつ、偶数端子及び奇数端子でオフセット状態が異なっている。これにより、変形例１と同様、オフセット方向がある程度複数の出力毎に同じ方向に固まっている場合でも、オフセット方向を分散させることができるため、フリッカをより抑えることができる。
【０１１８】
上記のように、本変形例では、各行において、オフセット切替信号４のシーケンス（Ｈレベル及びＬレベルの切替動作）が、全てのフレームで同一であるとともに、２行毎に、オフセット切替信号４のシーケンスが異なっている。
【０１１９】
なお、オフセット電圧を選択するタイミングについて、図１７の（ａ）では、第１フレームの奇数出力の第１行及び第２行、及び、偶数出力の第３行及び第４行において、水平走査期間の先頭から「ＨＨＬＬ」とし、奇数出力の第３行及び第４行、及び、偶数出力の第１行及び第２行において、水平走査期間の先頭から「ＬＬＨＨ」としているが、本変形例はこれに限定されず、第１フレームの奇数出力の第１行及び第２行、及び、偶数出力の第３行及び第４行において、水平走査期間の先頭から「ＨＬＬＨＨ」とし、奇数出力の第３行及び第４行、及び、偶数出力の第１行及び第２行において、水平走査期間の先頭から「ＬＨＨＬＬ」としても良い。
【０１２０】
以上に説明した実施形態及び各変形例１〜３では、各行において、オフセット切替信号４の動作（シーケンス）、具体的には、Ｈレベル（第１電位）及びＬレベル（第２電位）の切替動作が、全てのフレームで同一の構成である。すなわち、いずれの行も、２フレームで正／負の極性反転が行われ、２フレームともにオフセット切替信号４の動作は同一である。従って、いずれの行も、２フレームで＋α（あるいは−α）のオフセット電圧が打ち消し合うことになる。
【０１２１】
また、解像度を切り替える（２つ以上の画素を同一表示する）などの機能を有し、複数のデータクロックＤＣＬＫの周期を有する表示装置において、異なるデータクロックＤＣＬＫの周期に応じて、オフセット切替信号を生成するためのデータクロックＤＣＬＫの分周比を切り替える構成を備えていても良い。この構成によれば、複数のデータクロックＤＣＬＫの周期毎に、オフセット切替信号４を最適な周期とすることができる。
【０１２２】
本発明の実施の形態に係る表示駆動回路では、
上記切替制御回路は、データクロックと同一周波数の上記切替信号、または、水平同期信号よりも高周波数となるようにデータクロックを分周した上記切替信号、を上記切替回路に出力する構成とすることもできる。
【０１２３】
上記の構成によれば、切替制御回路は、水平同期信号よりも高周波数の切替信号を出力することができる。
【０１２４】
本発明の実施の形態に係る表示駆動回路では、
上記切替制御回路は、水平同期信号に基づき上記切替信号を生成する構成とすることもできる。
【０１２５】
上記の構成によれば、水平同期信号に基づき上記切替信号を生成することができるため、水平走査期間毎にオフセットの状態を制御することができ、水平走査期間毎の表示ムラを抑制することができる。
【０１２６】
本発明の実施の形態に係る表示駆動回路では、
上記切替信号が第１電位のときに、上記第１増幅回路がその特性上有する第１固有オフセット電圧が選択され、
上記切替信号が第２電位のときに、上記第２増幅回路がその特性上有する第２固有オフセット電圧が選択される構成とすることもできる。
【０１２７】
本発明の実施の形態に係る表示駆動回路では、
上記切替信号は、上記第１電位が選択されてから、上記第１増幅回路におけるオフセット電圧が上記第１固有オフセット電圧に到達するまでの間に、上記第２電位に切り替わり、上記第２電位が選択されてから、上記第２増幅回路におけるオフセット電圧が上記第２固有オフセット電圧に到達するまでの間に、上記第１電位に切り替わる構成とすることもできる。
【０１２８】
本発明の実施の形態に係る表示駆動回路では、
上記切替信号が上記第１電位のときに上記第１増幅回路で生じる第１オフセット電圧と、上記切替信号が上記第２電位のときに上記第２増幅回路で生じる第２オフセット電圧とは、互いに極性が異なる構成とすることもできる。
【０１２９】
これにより、オフセット電圧を打ち消し合うことがとができるため、表示画面全体におけるフリッカの発生を抑えることができる。
【０１３０】
本発明の実施の形態に係る表示駆動回路では、
上記切替信号が上記第１電位のときに上記第１増幅回路で生じる第１オフセット電圧は、上記第１固有オフセット電圧よりも小さく、
上記切替信号が上記第２電位のときに上記第２増幅回路で生じる第２オフセット電圧は、上記第２固有オフセット電圧よりも小さい構成とすることもできる。
【０１３１】
本発明の実施の形態に係る表示駆動回路では、
全ての水平走査期間において、上記切替信号のシーケンスが同一である構成とすることもできる。
【０１３２】
なお、上記切替信号のシーケンスとは、具体的には、切替信号の第１電位（例えばＨレベル）及び第２電位（Ｌレベル）の切替動作をいう。
【０１３３】
上記表示駆動回路では、
各行において、上記切替信号のシーケンスが、全てのフレームで同一であるとともに、ｎ行（ｎは１以上の整数）毎に、上記切替信号のシーケンスが異なる構成とすることもできる。
【０１３４】
本発明の実施の形態に係る表示駆動回路では、
上記切替信号は、データクロックの周波数の１／２または１／４の周波数である構成とすることもできる。
【０１３５】
本発明の実施の形態に係る表示装置は、上記表示駆動回路と、表示パネルとを備えることを特徴としている。
【０１３６】
本発明の実施の形態に係る表示装置では、上記表示パネルは、ｎライン反転駆動（ｎは１以上の整数）を行う構成とすることもできる。
【０１３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３８】
本発明は、表示装置の各駆動回路に好適である。
【符号の説明】
【０１３９】
１        液晶表示装置（表示装置）
２        オペアンプ（差増増幅回路）
３Ｎ      （ＮチャンネルＭＯＳ入力の）オペアンプ
３Ｐ      （ＰチャンネルＭＯＳ入力の）オペアンプ
４        オフセット切替信号（切替信号）
６        出力端子
１０      液晶パネル（表示パネル）
２０      ソースドライバ（表示駆動回路）
３０      ゲートドライバ
２８      出力回路
２９      切替制御回路
＋Ａ      オフセット電圧（第１固有オフセット電圧、第２固有オフセット電圧）
−Ａ      オフセット電圧（第１固有オフセット電圧、第２固有オフセット電圧）
＋α      オフセット電圧（第１オフセット電圧、第２オフセット電圧）
−α      オフセット電圧（第１オフセット電圧、第２オフセット電圧）
ＤＣＬＫ  データクロック
【図１】
2013021873.tif 000003
【図２】
2013021873.tif 000004
【図３】
2013021873.tif 000005
【図４】
2013021873.tif 000006
【図５】
2013021873.tif 000007
【図６】
2013021873.tif 000008
【図７】
2013021873.tif 000009
【図８】
2013021873.tif 000010
【図９】
2013021873.tif 000011
【図１０】
2013021873.tif 000012
【図１１】
2013021873.tif 000013
【図１２】
2013021873.tif 000014
【図１３】
2013021873.tif 000015
【図１４】
2013021873.tif 000016
【図１５】
2013021873.tif 000017
【図１６】
2013021873.tif 000018
【図１７】
2013021873.tif 000019
【図１８】
2013021873.tif 000020
【図１９】
2013021873.tif 000021
【図２０】
2013021873.tif 000022
【図２１】
2013021873.tif 000023
【図２２】
2013021873.tif 000024
【図２３】
2013021873.tif 000025
【図２４】
2013021873.tif 000026
【図２５】
2013021873.tif 000027
【図２６】
2013021873.tif 000028
【図２７】
2013021873.tif 000029
【図２８】
2013021873.tif 000030
【図２９】
2013021873.tif 000031
【図３０】
2013021873.tif 000032
【図３１】
2013021873.tif 000033
【図３２】
2013021873.tif 000034
【図３３】
2013021873.tif 000035
【図３４】
2013021873.tif 000036
【図３５】
2013021873.tif 000037
【図３６】
2013021873.tif 000038
【図３７】
2013021873.tif 000039
【図３８】
2013021873.tif 000040
【図３９】
2013021873.tif 000041
【図４０】
2013021873.tif 000042
【図４１】
2013021873.tif 000043
【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
同相または逆相の入力信号を増幅する第１及び第２増幅回路と、
切替信号に基づいて、上記２つの入力信号を選択的に切り替えて上記第１及び第２増幅回路へ入力する切替回路と、
上記切替信号を上記切替回路に出力することにより、上記切替回路の切り替えを制御する切替制御回路とを備えており、
上記切替制御回路は、水平同期信号よりも高周波数の上記切替信号を、上記切替回路に出力することを特徴とする表示駆動回路。
【請求項２】
上記切替制御回路は、データクロックと同一周波数の上記切替信号、または、水平同期信号よりも高周波数となるようにデータクロックを分周した上記切替信号を、上記切替回路に出力することを特徴とする請求項１に記載の表示駆動回路。
【請求項３】
上記切替信号は、データクロックの周波数の１／２または１／４の周波数であることを特徴とする請求項２に記載の表示駆動回路。
【請求項４】
上記切替制御回路は、水平同期信号に基づき上記切替信号を生成することを特徴とする請求項１〜３の何れか１項に記載の表示駆動回路。
【請求項５】
上記切替信号が第１電位のときに、上記第１増幅回路がその特性上有する第１固有オフセット電圧が選択され、
上記切替信号が第２電位のときに、上記第２増幅回路がその特性上有する第２固有オフセット電圧が選択されることを特徴とする請求項１〜４の何れか１項に記載の表示駆動回路。
【請求項６】
上記切替信号は、上記第１電位が選択されてから、上記第１増幅回路におけるオフセット電圧が上記第１固有オフセット電圧に到達するまでの間に、上記第２電位に切り替わり、上記第２電位が選択されてから、上記第２増幅回路におけるオフセット電圧が上記第２固有オフセット電圧に到達するまでの間に、上記第１電位に切り替わることを特徴とする請求項５に記載の表示駆動回路。
【請求項７】
上記切替信号が上記第１電位のときに上記第１増幅回路で生じる第１オフセット電圧と、上記切替信号が上記第２電位のときに上記第２増幅回路で生じる第２オフセット電圧とは、互いに極性が異なることを特徴とする請求項６に記載の表示駆動回路。
【請求項８】
上記切替信号が上記第１電位のときに上記第１増幅回路で生じる第１オフセット電圧は、上記第１固有オフセット電圧よりも小さく、
上記切替信号が上記第２電位のときに上記第２増幅回路で生じる第２オフセット電圧は、上記第２固有オフセット電圧よりも小さいことを特徴とする請求項６または７に記載の表示駆動回路。
【請求項９】
全ての水平走査期間において、上記切替信号のシーケンスが同一であることを特徴とする請求項５〜８の何れか１項に記載の表示駆動回路。
【請求項１０】
各行において、上記切替信号のシーケンスが、全てのフレームで同一であるとともに、ｎ行（ｎは１以上の整数）毎に、上記切替信号のシーケンスが異なることを特徴とする請求項５〜８の何れか１項に記載の表示駆動回路。
【請求項１１】
請求項１〜１０の何れか１項に記載の表示駆動回路と、表示パネルとを備えることを特徴とする表示装置。
【請求項１２】
上記表示パネルは、ｎライン反転駆動（ｎは１以上の整数）を行うことを特徴とする請求項１１に記載の表示装置。
【請求項１３】
同相または逆相の入力信号を増幅する第１及び第２増幅回路と、
切替信号に基づいて上記２つの入力信号を選択的に切り替えて上記第１及び第２増幅回路へ入力する切替回路と、
上記切替信号を上記切替回路に出力することにより、上記切替回路の切り替えを制御する切替制御回路とを備える表示駆動回路の駆動方法であって、
上記切替制御回路は、水平同期信号よりも高周波数の上記切替信号を、上記切替回路に出力することを特徴とする表示駆動回路の駆動方法。
【国際調査報告】
2013021873.tif 000044
2013021873.tif 000045
2013021873.tif 000046
2013021873.tif 000047